(57)【要約】      （修正有）【課題】脚体をビームの端部に設ける態様の椅子と、脚体をビームの内側の部位に設ける態様の椅子との両方を製造するにあたって、部材の共通化を図る。【解決手段】複数の脚体と、この脚体により支持されるビームと、このビーム上に配設される椅子本体と、この椅子本体の下面に取付けられ前記ビーム上に配される第１のブラケットと、前記脚体又は前記第１のブラケットに対応させて前記ビームの上又は下に配することが可能な第２のブラケットと、この第２のブラケット又は前記脚体をビームを介して第１のブラケットに結合する止着具とを具備する椅子において、脚体をビームの端部において結合させる脚アウトセット仕様と、前記脚体をビームの中間部において結合させる脚インセット仕様とを選択的に採り得るように構成する。【選択図】図９
2015000268.tif 000002
【特許請求の範囲】
【請求項１】
複数の脚体と、この脚体により支持されるビームと、このビーム上に配設される椅子本体と、この椅子本体の下面に取付けられ前記ビーム上に配される第１のブラケットと、前記脚体又は前記第１のブラケットに対応させて前記ビームの上又は下に配することが可能な第２のブラケットと、この第２のブラケット又は前記脚体をビームを介して第１のブラケットに結合する止着具とを具備してなり、
前記脚体をビームの端部において前記第１のブラケットに前記止着具を用いて結合させるとともに、ビームの中間部においてビームの下に配した前記第２のブラケットを前記第１のブラケットに前記止着具を用いて結合させる脚アウトセット仕様と、
ビームの下に配した前記第２のブラケットをビームの端部において前記第１のブラケットに前記止着具を用いて結合させるとともに、前記脚体をビームの中間部においてビームの上に配した前記第２のブラケットに前記止着具を用いて結合させる脚インセット仕様とを選択的に採り得るように構成したことを特徴とした椅子。
【請求項２】
前記止着具が、前記脚体又は前記第１のブラケット、前記ビーム及び前記第２のブラケットに挿し通される雄ネジ部材である請求項１記載の椅子。
【請求項３】
前記脚体又は前記第２のブラケットと前記ビームとの間に、前記脚体又は前記第２のブラケットの前記ビームに対する相対位置を位置決めするための位置決め機構を設けている請求項１又は２記載の椅子。
【請求項４】
前記位置決め機構が、前記脚体又は前記第２のブラケットと前記ビームとのうち一方に設けた突起を他方に設けた凹部に係り合わせてなるものである請求項３記載の椅子。
【請求項５】
前記椅子本体の下面の左右両側に前記第１のブラケットをそれぞれ取り付け、これら第１のブラケットにより前記椅子本体を前記ビームに支持させている請求項１、２、３又は４記載の椅子。
【発明の詳細な説明】
【技術分野】
【０００１】
本発明は、ロビー等に設けられ、複数の脚体と、この脚体により支持されるビームと、このビーム上に配設される椅子本体とを備える椅子に関する。
【背景技術】
【０００２】
従来、空港等のロビーや、官公庁、駅、病院等の待合室といった施設に好適に用いられる椅子として、複数の脚体と、この脚体により支持されるビームと、このビーム上に配設される椅子本体とを備えており、複数名が着座可能なものが広く用いられている。
【０００３】
従来のこのような椅子においては、脚体を前記ビームの端部に設ける態様が広く知られている。ところが、このように脚体を前記ビームの端部に設ける態様、換言すれば椅子の長手方向両端部に脚体を設けた場合、この脚体が歩行者やキャリーバッグ等の通行の邪魔となることがあり、脚体を内側の部位に設ける要望が存在する。
【０００４】
しかし、脚体を前記ビームの端部に設ける態様の椅子と、脚体を前記ビームの内側の部位に設ける態様の椅子との両方を製造するにあたっては、従来は、両態様にそれぞれ対応させた異なる形状のビーム及び脚体を用意する必要があり、製造コストがかさむという問題が存在する。
【先行技術文献】
【特許文献】
【０００５】
【特許文献１】特開２００５−２２４５４１号公報
【発明の概要】
【発明が解決しようとする課題】
【０００６】
本発明は以上の点に着目し、脚体を前記ビームの端部に設ける態様の椅子と、脚体を前記ビームの内側の部位に設ける態様の椅子との両方を製造するにあたって、部材の共通化を図ることを目的とする。
【課題を解決するための手段】
【０００７】
以上の課題を解決すべく、本発明に係る椅子は、以下に述べるような構成を有する。すなわち本発明に係る椅子は、複数の脚体と、この脚体により支持されるビームと、このビーム上に配設される椅子本体と、この椅子本体の下面に取付けられ前記ビーム上に配される第１のブラケットと、前記脚体又は前記第１のブラケットに対応させて前記ビームの上又は下に配することが可能な第２のブラケットと、この第２のブラケット又は前記脚体をビームを介して第１のブラケットに結合する止着具とを具備してなり、前記脚体をビームの端部において前記第１のブラケットに前記止着具を用いて結合させるとともに、ビームの中間部においてビームの下に配した前記第２のブラケットを前記第１のブラケットに前記止着具を用いて結合させる脚アウトセット仕様と、ビームの下に配した前記第２のブラケットをビームの端部において前記第１のブラケットに前記止着具を用いて結合させるとともに、前記脚体をビームの中間部においてビームの上に配した前記第２のブラケットに前記止着具を用いて結合させる脚インセット仕様とを選択的に採り得るように構成したものである。
【０００８】
このようなものであれば、前記第２のブラケット及び止着具を、前記第１のブラケットをビームに結合する用途及び前記脚体をビームに結合する用途に兼用でき、従って、同一形状の脚体及びビームを、脚アウトセット仕様及び脚インセット仕様に兼用できる。
【０００９】
なお、本発明において、「ビームの中間部」とは、ビームの両端にそれぞれ最も近い両第１のブラケット間の部位を示す概念である。また、「椅子本体」とは、座として用いられ得る部材全般を示す概念である。
【００１０】
このような椅子に用いられる止着具の例として、前記脚体又は前記第１のブラケット、前記ビーム及び前記第２のブラケットに挿し通される雄ねじ部材が挙げられる。
【００１１】
ビームへの脚体又は第２のブラケットの取り付け作業を容易化するための構成として、前記脚体又は前記第２のブラケットと前記ビームとの間に、前記脚体又は前記第２のブラケットの前記ビームに対する相対位置を位置決めするための位置決め機構を設けているものが挙げられる。
【００１２】
このような位置決め機構の一例として、前記脚体又は前記第２のブラケットと前記ビームとのうち一方に設けた突起を他方に設けた凹部に係り合わせてなるものが挙げられる。
【００１３】
このような椅子において、椅子本体を安定してビームに支持させるための構成として、前記椅子本体の下面の左右両側に前記第１のブラケットをそれぞれ取り付け、これら第１のブラケットにより前記椅子本体を前記ビームに支持させているものが挙げられる。
【発明の効果】
【００１４】
本発明によれば、脚体を前記ビームの端部に設ける態様の椅子と、脚体を前記ビームの内側の部位に設ける態様の椅子との両方を製造するにあたって、部材の共通化を図ることができる。
【図面の簡単な説明】
【００１５】
【図１】本発明の一実施形態に係る椅子の脚アウトセット仕様を示す正面図。
【図２】同実施形態に係る椅子の脚アウトセット仕様を示す平面図。
【図３】同実施形態に係る椅子の側面図。
【図４】図１におけるＡ−Ａ断面図。
【図５】同実施形態に係る椅子の脚インセット仕様を示す正面図。
【図６】同実施形態に係る椅子の脚インセット仕様を示す平面図。
【図７】図５におけるＢ−Ｂ断面図。
【図８】図５におけるＣ−Ｃ断面図。
【図９】同実施形態に係る椅子の要部の分解斜視図。
【発明を実施するための形態】
【００１６】
本発明の一実施形態を、図１〜図９を参照して説明する。
【００１７】
本実施形態の椅子Ｃは、図１〜図３、図５及び図６に示すように、複数の脚体１と、この脚体１により支持されるビーム２と、このビーム２上に配設される椅子本体３と、この椅子本体３の下面に取付けられ前記ビーム２上に配される第１のブラケットたる椅子支持ブラケット４と、前記脚体１又は前記椅子支持ブラケット４に対応させて前記ビーム２の上又は下に配することが可能な第２のブラケットたる兼用ブラケット５とを具備してなる。また、本実施形態の椅子Ｃは、前記脚体１をビーム２の端部において前記椅子支持ブラケット４に止着具たる雄ネジ部材６を用いて結合させるとともに、ビーム２の中間部においてビーム２の下に配した前記兼用ブラケット５を前記椅子支持ブラケット４に前記雄ネジ部材６を用いて結合させる、図１〜図４に示すような脚アウトセット仕様Ｏと、ビーム２の下に配した兼用ブラケット５をビーム２の端部において前記椅子支持ブラケット４に雄ネジ部材６を用いて結合させるとともに、前記脚体１をビーム２の中間部においてビーム２の上に配した前記兼用ブラケット５に雄ネジ部材６を用いて結合させる、図５〜図８に示すような脚インセット仕様Ｉとを選択的に採ることができる。
【００１８】
まず、前記脚アウトセット仕様Ｏをとる場合について、各部の構成を図１〜図４及び図９を参照しつつ以下に述べる。
【００１９】
前記脚体１は、図１〜図４に示すように、前記ビーム２を挿入するための凹部１１ａを上面に有する基部１１と、この基部１１から前下方及び後下方にそれぞれ伸びる脚支柱１２と、この脚支柱１２の下端に取り付けられる接地体であるアジャスタ１３とを備えている。前記基部１１の凹部１１ａの底面には、雄ネジ部材６を挿し通すためのネジ挿通孔１１ｂを設けている。さらに、このネジ挿通孔１１ｂの左右両端に隣接する部位には、上方に突出するとともに外方に伸びる形状の突起１１ｃを設けている。この突起１１ｃは、前記ビーム２の後述する取付孔２ａの係止凹部２ａ２と係り合うことにより、この脚体１を前記ビーム２に対して位置決めする機能を有する。
【００２０】
前記ビーム２は、図１に示すように、幅方向に延伸する角柱状の部材であり、上面で前記椅子支持ブラケット４を介して４個の前記椅子本体３を支持可能である。このビーム２の上面には、図４及び図９に示すように、前記椅子本体３の左右両端部に対応させて、前記椅子支持ブラケット４を取り付けるための取付孔２ａを４対設けているとともに、これら４対の取付孔２ａの直下となる位置には、前記兼用ブラケット５又は脚体１を取り付けるための取付孔２ａを４対設けている。これらの取付孔２ａは、雄ネジ部材６を挿し通すための孔本体２ａ１と、この孔本体２ａ１の左右両端からそれぞれ外方に伸び前記椅子支持ブラケット４の後述する突起４１ｃ、前記兼用ブラケット５の後述する突起５３、又は脚体１に設けた前記突起１１ｃと係り合う係止凹部２ａ２とをそれぞれ備えている。ここで、前記脚体１に設けた前記突起１１ｃと前記係止凹部２ａ２との組、前記椅子支持ブラケット４の後述する突起４１ｃと前記係止凹部２ａ２との組、及び前記兼用ブラケット５の後述する突起５３と前記係止凹部２ａ２との組は、それぞれ、前記脚体１、前記椅子支持ブラケット４、及び前記兼用ブラケット５の前記ビーム２に対する相対位置をそれぞれ位置決めするための位置決め機構としての機能を有する。また、係止凹部２ａ２は、請求項中の位置決め機構の凹部としての機能を有する。さらに、上面において、このビーム２の左右両端部でそれぞれ支持される椅子本体３の幅方向中間部に対応する位置にも取付孔２ａを設けており、下面において、この取付孔２ａの直下となる位置にも取付孔２ａを設けている。ただし、前記脚アウトセット仕様Ｏをとる場合は、前記椅子本体３の幅方向中間部に対応する位置に設けた取付孔２ａは使用しない。
【００２１】
前記椅子本体３は、図２及び図３に示すように、座シェル３１と、この座シェル３１の後端から後上方に伸びる背シェル３２と、前記座シェル３１の上面に取り付けられる座クッション３３と、前記背シェル３２の前面に取り付けられる背クッション３４とを備えている。なお、図４においては、座クッション３３は省略して示している。また、前記座シェル３１の四隅部にはナット３５を溶接等により固定して設けている。このナット３５には、前記椅子支持ブラケット４を通過した椅子固定用の雄ネジ部材３６が螺着され、この雄ネジ部材３６により前記椅子支持ブラケット４に結合される。
【００２２】
前記椅子支持ブラケット４は、図３、図４及び図９に示すように、下面に前記ビーム２を挿入するための凹部４１ａを有する基部４１と、この基部４１から上前方に伸びる第１のアーム４２と、前記基部４１から上後方に伸びる第２のアーム４３とを備えている。前記基部４１の凹部４１ａの底面には、雄ネジ部材６を挿し通すためのネジ挿通孔４１ｂを設けている。さらに、このネジ挿通孔４１ｂの左右両端に隣接する部位には、下方に突出するとともに外方に伸びる形状の突起４１ｃを設けている。この突起４１ｃは、前記ビーム２の後述する取付孔２ａの係止凹部２ａ２と係り合うことにより、この脚体１を前記ビーム２に対して位置決めする機能を有する。一方、前記第１及び第２のアーム４２、４３の先端部には、上下方向に貫通するネジ挿通孔４２ａ、４３ａを設けており、このネジ挿通孔４２ａ、４３ａに挿し通した椅子固定用の雄ネジ部材３６を前記椅子本体３の座シェル３１に固定して設けたナット３５に螺着するようにしている。ここで、この椅子支持ブラケット４は、通常は前記兼用ブラケット５との間で前記ビーム２を挟んでおり、止着具たる雄ネジ部材６を介して前記兼用ブラケット５をこの椅子支持ブラケット４に結合している。また、前記脚体１をビーム２の端部に配した脚アウトセット仕様Ｏでは、ビーム２の端部、より具体的にはビーム２の最も長手方向両端に近い取付孔２ａに対応する位置で、この椅子支持ブラケット４と前記脚体１とにより前記ビーム２を挟んでおり、脚体１のネジ挿通孔１１ｂ、ビーム２の取付孔２ａ及び前記ネジ挿通孔４１ｂに挿し通した雄ネジ部材６をこの椅子支持ブラケット４の上面に配したナット７に螺着させることにより、前記脚体１をこの椅子支持ブラケット４に結合している。
【００２３】
前記兼用ブラケット５は、図４及び図９に示すように、前記ビーム２の上面又は下面に衝き当たる面部５１と、この面部５１から突出し前記取付孔２ａの孔本体２ａ２に係り合うとともに内面に雌ネジを形成している円筒状のボス部５２と、このボス部５２の左右両端から外方に伸び前記取付孔２ａの係止凹部２ａ２に係り合う突起５３とを有する。この兼用ブラケット５は、前記脚アウトセット仕様Ｏでは長手方向両端に位置する椅子支持ブラケット４を除く椅子支持ブラケット４の下方にそれぞれ配され、上述したように前記椅子支持ブラケット４との間で前記ビーム２を挟み、雄ネジ部材６を介して該椅子支持ブラケット４に結合されている。
【００２４】
次いで、前記脚インセット仕様Ｉをとる場合について、各部の構成を図５〜図８を参照しつつ以下に述べる。なお、以下の説明では、主に前記脚アウトセット仕様Ｏをとる場合との相違点について述べる。
【００２５】
前記脚インセット仕様Ｉをとる場合は、脚体１は、図５、図６及び図９に示すように、椅子Ｃの長手方向端部、より具体的にはビーム２の長手方向端部に配された椅子支持ブラケット４の下方ではなく、ビーム２の長手方向端部に配された椅子支持ブラケット４と、この椅子支持ブラケット４に隣接する椅子支持ブラケット４との間、換言すれば椅子本体３の幅方向中間部に対応する位置に設けられる。
【００２６】
また、この脚インセット仕様Ｉでは、図５、図７及び図９に示すように、全ての椅子支持ブラケット４の下方に前記兼用ブラケット５を設けるようにしている。その上で、図５、図８及び図９に示すように、ビーム２の上面において前記椅子本体３の幅方向中間部に対応する位置に設けた取付孔２ａに、前記兼用ブラケット５を取り付けるようにしているとともに、ビーム２の下面において前記椅子本体３の幅方向中間部に対応する位置に設けた取付孔２ａに、前記脚体１を取り付けるようにしている。
【００２７】
また、前記脚インセット仕様Ｉでは、前記兼用ブラケット５は、上述したように全ての全ての椅子支持ブラケット４の下方に配されるとともに、前記椅子支持ブラケット４の下方に配する場合とは上下を逆にした姿勢で脚体１の上方に配される。そして、脚体１との間で前記ビーム２を挟み、雄ネジ部材６を介して該脚体１に結合される。
【００２８】
ここで、ビーム２への椅子本体３及び脚体１の取付態様について述べる。
【００２９】
前記脚アウトセット仕様Ｏを採用する場合は、図９の実線に示すように、椅子本体３の左右両端部に対応させて椅子支持ブラケット４を配し、長手方向端部に配した椅子支持ブラケット４の下方には脚体１、その他の椅子支持ブラケット４の下方には兼用ブラケット５をそれぞれ配する。その上で、脚体１のネジ挿通孔１１ｂ、ビーム２の取付孔２ａ及び前記ネジ挿通孔４１ｂに挿し通した雄ネジ部材６をこの椅子支持ブラケット４の上面に配したナット７に螺着させることにより、椅子支持ブラケット４と脚体１とを結合するとともに、同じく雄ネジ部材６により、椅子支持ブラケット４と兼用ブラケット５とを結合する。
【００３０】
一方、前記脚インセット仕様Ｉを採用する場合は、図９の想像線に示すように、椅子本体３の左右両端部に対応させて椅子支持ブラケット４を配し、各椅子支持ブラケット４の下方には兼用ブラケット５をそれぞれ配する。また、椅子本体３の中間部の下方に対応する位置において、ビーム２の上面側の取付部２ａには兼用ブラケット５、ビーム２の下面側の取付部２ａには脚体１をそれぞれ配する。その上で、雄ネジ部材６により、椅子支持ブラケット４と兼用ブラケット５とを結合するとともに、同じく雄ネジ部材６により、脚体１と兼用ブラケット５とを結合する。
【００３１】
加えて本実施形態では、前記脚アウトセット仕様Ｏ及び前記脚インセット仕様Ｉのいずれをとる場合においても、上述した椅子本体３に代えて、椅子支持ブラケット４を介してビーム２の上面に天板８を取り付けることができる。この天板８は、天板面を座面とした状態で座として使用することも可能である。この天板８のビーム２への取付態様は、上述した前記椅子本体３のビーム２への取付態様と略同一であるので、詳細な説明は省略する。
【００３２】
以上に述べたように、本実施形態によれば、前記兼用ブラケット５及び雄ネジ部材６を、前記椅子支持ブラケット４をビーム２に結合する用途及び前記脚体１をビーム２に結合する用途に兼用でき、従って、同一形状の脚体１及びビーム２を、脚アウトセット仕様Ｏ及び脚インセット仕様Ｉに兼用できる。すなわち、脚体１を前記ビーム２の端部に設ける態様の椅子Ｃと、脚体１を前記ビーム２の内側の部位に設ける態様の椅子Ｃとの両方を製造するにあたって、部材の共通化を図ることができる。
【００３３】
また、前記脚体１、前記椅子支持ブラケット４及び前記兼用ブラケット５と前記ビーム２との間に、前記脚体１、前記椅子支持ブラケット４及び前記兼用ブラケット５の前記ビーム２に対する相対位置をそれぞれ位置決めするための位置決め機構を設けているので、ビーム２への脚体１、椅子支持ブラケット４及び兼用ブラケット５の取り付け作業を容易に行うことができる。
【００３４】
また、前記位置決め機構が、前記脚体１、前記椅子支持ブラケット４及び前記兼用ブラケット５にそれぞれ設けた突起１１ｃ、４１ｃ、５３を前記ビーム２に設けた係止凹部２ａ２に係り合わせてなるものであるので、前段で述べたような位置決め機構を容易に実現できる。
【００３５】
そして、前記椅子本体３又は天板８の下面の左右両側に前記椅子支持ブラケット４をそれぞれ取り付け、これら椅子支持ブラケット４により前記椅子本体３又は天板８を前記ビーム２に支持させているので、椅子本体３又は天板８を安定してビーム２に支持させることができる。
【００３６】
なお、本発明は以上に述べた実施形態に限らない。
【００３７】
例えば、上述した実施形態では、止着具として、前記脚体又は前記椅子支持ブラケット、前記ビーム及び前記兼用ブラケットに挿し通される雄ネジ部材を用いているが、雄ネジ部材に限らず、前記脚体又は前記椅子支持ブラケット、前記ビーム及び前記兼用ブラケットを十分な強度で結合可能なものであれば任意の止着具を用いてもよい。
【００３８】
また、上述した実施形態では、前記脚体又は前記第２のブラケットと前記ビームとの間に、前記脚体又は前記第２のブラケットの前記ビームに対する相対位置を位置決めするための位置決め機構を設けているが、この位置決め機構は省略してもよく、また、位置決め機構を設ける場合、位置決め機構の構成は任意のものを採用してよい。
【００３９】
そして、上述した実施形態では、前記椅子本体の下面の左右両側に前記第１のブラケットをそれぞれ取り付け、これら第１のブラケットにより前記椅子本体を前記ビームに支持させているが、１つの第１のブラケットにより椅子本体をビームに支持させるようにしてもよい。
【００４０】
その他、本発明の趣旨を損ねない範囲で種々に変更してよい。
【符号の説明】
【００４１】
Ｃ…椅子
１…脚体
２…ビーム
３…椅子本体
４…第１のブラケット（椅子支持ブラケット）
５…第２のブラケット（兼用ブラケット）
Ｏ…脚アウトセット仕様
Ｉ…脚インセット仕様
【図１】
2015000268.tif 000003
【図２】
2015000268.tif 000004
【図３】
2015000268.tif 000005
【図４】
2015000268.tif 000006
【図５】
2015000268.tif 000007
【図６】
2015000268.tif 000008
【図７】
2015000268.tif 000009
【図８】
2015000268.tif 000010
【図９】
2015000268.tif 000011